(57)【特許請求の範囲】
【請求項１】
桐材で形成された甲と、上記甲の裏側に空間が形成されるように設けられた裏板と、上記甲と裏板の竜頭側において、上記空間を仕切るように上記甲と裏板の間に固着された関板と、上記甲と上記裏板の竜頭側の端縁に設けられた装飾用口前と、上記甲の表側において、装飾用口前の近傍に設けられた竜角と、竜尾側に設けられた雲角と、上記竜角及び雲角を介して張設される複数の絃とを備えた琴において、上記竜角から口前までの間の一部分において、上記甲を削り貫いて台座を埋め込むと共に上記関板と固着して装着され、かつ、上記複数の絃にそれぞれ対応して上記絃をそれぞれ巻き付け回動できるように形成された調絃軸を上記台座に設け、上記調絃軸を回動することにより、上記絃の張設・調律ができるようにしたことを特徴とする琴。
【発明の詳細な説明】
【０００１】
【発明の属する技術分野】
本発明は和楽器の琴に関するものである。
【０００２】
【従来の技術】
従来の琴において、図５のように張設される各絃６は、一端が竜頭２の側において甲７の裏側で固定され、竜角４を介して竜尾３側へ張られ、他端は雲角５から下方へ貫通孔を挿通し琴胴内へ引き込む。引き込んだ絃６は裏板に穿設した音穴１０より甲７の上部へ引き上げ、雲角５に係止するように糸締めを行っている。そして絃６の調律は張設加減によって行い、又絃６の余りはメガネ型に形成し固定させ、１つの飾りとされている。
【０００３】
又、他の張設手段として、竜角４から下方へ貫通孔を挿通して胴内へ導いた絃６を、止め板や堰板と称する板体を介して水平方向に螺入された糸巻き取り棒へ巻締めることにより、上記胴内へ導いた絃６の張設・調律を行うものがある。
この構成は、例えば実公平４−１２５５４号公報、実開平５−６９７９０号公報又は実開平６−２６９５５号公報等に開示されている。
【０００４】
【発明が解決しようとする課題】
従来型の琴は調律専門家の手で絃を張設し、曲調に応じて調律を行っていた。したがって、時間の経過と共に絃に緩みが生じたり、糸切れのアクシデントが発生すると現実には持ち主の手に負えず、殆どの場合は上記特定人に締め直しを依頼することとなる。その結果、締め直しの時間・維持経費が問題となっていた。
【０００５】
そこで例えば、実公平４−１２５５４号公報等に示されたものは、竜角の下方胴内に設けた糸巻き取り棒へ巻き取り、この糸巻き取り棒を回動させることにより調律を容易に行うように考えたものである。
【０００６】
しかし、上記の糸巻き取り棒の回動には、琴を裏向きにして音穴よりボックススパナを挿入して行うこととなるから、張設と調律操作が同時に為し得ず決して容易とは言えない。
【０００７】
上記の構成に対し、実開平５−６９７９０号公報に示されたものにおいては、本来、琴の顔にあたる部分の口前及び竜舌を無くし空間を作ることによりチューニングピンを設け、琴を裏向きにすることもなく横からチューニングピンを回転させ調律を容易に行うように考えたものである。
【０００８】
しかし、琴の等級の基準は、甲に現れる木目の複雑さと、見た目の木目のバランスが基準となっている。その等級に応じて装飾に使用される材料も普及品・中級品等には花梨、紫檀が使用され、高級品等では紅木、超高級品等では象牙が使用される。又、琴の顔にあたる口前及び竜舌の装飾も等級に応じて巧妙・緻密に施されるために、上記の構成では等級に応じての装飾が不可能である。
【０００９】
斯かる経緯に鑑み、本発明は誰でもが簡易迅速に張設・調律を行えるとともに、いかなる等級にも適応する琴を提供しようとするものである。
【００１０】
【課題を解決するための手段】
第１の発明の琴は、竜角から口前までの間の一部分において、甲を削り貫いて台座を埋め込み、それぞれの絃に対応して台座に調絃軸を設けると共に調絃軸に絃を巻き付けて、調絃軸を回動させることにより絃の張設・調律ができるようにした。
【００１１】
又、竜角の頂部にそれぞれの絃に対応して絃用案内路を設けたものである。
【００１２】
又、調絃軸は、６角穴付きの頭部と、この頭部の下側に形成したテーパー状の絃返し部と、この絃返し部に近接して設けた絃通し孔とを備え、絃の巻き付けを容易にしたものである。
【００１３】
さらに、台座の裏側に突出するように調絃軸を設けると共に、上記突出部分に絃通し孔を設け、それぞれの絃を台座の裏側に引き入れて、調絃軸の突出部分に巻き付けるようにしたものである。
【００１４】
【発明の実施の形態】
（実施の形態１）
本発明の実施例を図１に基づいて説明すると、竜角４から口前１までの間の一部分において、甲７を削り貫いて台座１３を埋め込んで固定し、図３のように台座１３へ巾面に等間隔に調絃軸１２を設置してヘッド１２ａにＬ形レンチを差し込んで回動し、絃の張設・調律の作用をなさせる。
したがって、弾きながら同時に操作して調律することができるので、微調節も可能となり美しい音色を奏することができる。
【００１５】
上記について詳述すると、図１〜図４において７は甲であり周知のように桐材で形成される。１は口前で、琴の等級に応じて巧妙・緻密に装飾が施された舌８が口前１の中に嵌装されている。４は竜角で絃６の一端を支持する。竜角４の頂部には枕角１５が設けてある。１０は裏板９に設けた音穴である。なお、周知のように、甲７と裏板９の間には、音が反響しやすいように空間が形成されている。１３は台座であり、竜角４と口前１の間において甲７の表部を削り抜いて埋設されている。１４は関板で、台座１３を接着保持すると共に、甲７と裏板９の間で音が反響しやすいように形成されている。
【００１６】
１２は調絃軸であり、図２に示すように６角穴付きの頭部１２ａと、テーパー状の絃返し部１２ｂと、絃通し孔１２ｃと、ねじ部１２ｄを有する。この調絃軸１２はそれぞれの絃６に対応して台座１３に設置するのである。絃６の一端は、調絃軸１２の絃通し孔１２ｃを通して２〜３回巻き付けて、絃６の他端で従来の琴と同様に竜尾３（図５に示す）側で固定し、調絃軸１２を回動させることにより絃返し部１２ｂまでの間に締め付けられる。
【００１７】
張設・調律するときはＬ形のレンチで調絃軸１２を回動することによりなされる。
したがって、弾きながら同時に操作して調律することができるので、微調節も可能となり美しい音色を奏するのである。なお、調絃軸１２の絃返し部１２ｂは絃６が頭部１２ａに巻き付くのを防止するためである。
【００１８】
上記のように、絃６を調絃軸１２により締め付ける場合、竜角４において枕角１５の近傍に絃用案内路１１（竜角４の頂部に形成した切込溝）を設けるのが望ましい。ただしこの絃用案内路１１は、図３のように絃６を締め付ける部分の外周に対する接線方向と、絃用案内路１１の方向がほぼ一致するように調絃軸１２との位置関係を設定するのが望ましい。その結果、絃のずれやぶれ等を防ぐのである。
【００１９】
上記の絃用案内路１１は、図４に示すように竜角４に設けたガイド孔１６であってもよい。
【００２０】
調絃軸１２の頭部１２ａは６角ボルト形、十字孔付き小ねじ形の頭部でもよいが、６角穴付きの頭部１２ａにすることにより軸の長さを短くすることができる。その結果、甲７の表側に突出する部分も短いので外観もよく、又、琴の積み重ねにも支障を生じない。又、着物を着ての演奏に際し袖が引っ掛かる心配も少ない。
更に、調絃軸１２の上側にカバーを設ければ上記の問題点が更に改善される。
【００２１】
なお、調絃軸１２は、ねじ部１２ｄを設けたものを説明したが、ねじ部１２ｄを設けないで摩擦だけでしめつける構造も可能である。この場合は調絃軸１２の出入りがないので多数回の締め付けも可能になる。
又、調絃軸１２は図３にに示すように、千鳥状に配列すれば配設が容易でわかり易くなる。
【００２２】
（実施の形態２）
上記実施の形態１では、台座１３の表側で調絃軸１２に絃を巻き付けるものを示したが、従来の琴と比べ巻き付け部分があって表側から見える為、外観に違和感を与える点がある。
従って、この実施の形態では、台座１３の裏側で調絃軸２０に絃を巻き付けるようにして上記問題点は解決した。
【００２３】
即ち、図６において、２０は調絃軸であり、先端に絃通し孔２０ｃが設けてある。この絃通し孔２０ｃを設けた先端部は台座１３の裏側に突出するように調絃軸２０が形成されている。調絃軸２０の頭部２０ａには実施の形態１の調絃軸１２と同様に６角穴付きになっている。２０ｂはねじ部で、台座１３に切られためねじに螺合するように構成されている。１９は保護リングであり調絃軸２０の頭部２０ａ及び台座１３の表面を保護すると共に、調絃軸２０の部分の外観を良くするものである。
【００２４】
絃６は龍角４と調絃軸２０の中間部分において、それぞれの絃６に対応して設けられた貫通孔１８を通して台座１３の裏側に引き入れて、その先端を調絃軸２０の絃通し孔２０ｃに通し調絃軸２０に巻き付ける。この巻き付けの為の調絃軸（２０）の回動の多少により調絃される。
１７は着脱できるように形成された裏蓋であり、絃通し孔２０ｃに絃６を通すときに裏蓋１７を開いて行うようになされている。
【００２５】
この実施の形態によれば、外観が良く、さらに口前を保護するカバーで覆い隠す事ができるので、従来の琴と比べ全く違和感がなくなった。
なお、上記構成において調絃軸２０はねじにより台座１３に螺合するものを示したが、例えばバイオリンや三味線などの糸巻きのように摩擦で保持するようにしてもよい。
【００２６】
（実施の形態３）
上記実施の形態２における保護リング１９は、図７に示すように構成してもよい。すなわち、図７における保護リング１９は、黄銅又はステンレスのような金属材か、又は機械的強度の高い合成樹脂材で形成したものである。そしてこの保護リング１９には、調絃軸２０のねじ部２０ｂが螺合するようにめねじが設けてある。上記のように形成された保護リング１９は台座１３に圧入され、各絃毎に調絃軸が螺合される。
他の構成は実施の形態２と同様である。このように構成すれば調絃軸２０のねじ部２０ｂにおいて、ねじバカが発生することが無いので、長期間安定した調律ができる。
【００２７】
【発明の効果】
本発明は、以上説明したように構成されているので、以下に記載されるような効果を奏する。
【００２８】
調絃軸は琴の表部においてＬ形スパナで簡単に回動することができるので、特別な技術がなくても張設・調律作業が極めて簡単容易にできる。
近年、普及した電子式のチューナー等と併せ用いれば微調節までも可能であるため、音調の安定を図ることができる。
【００２９】
以上の様に、本発明は種々なるすぐれた効果を奏し、これからの和楽器関連業界に極めて顕著な有用性を発揮するものである。
【図面の簡単な説明】
【図１】本発明の一実施例を示す竜頭部の縦断面略図である。
【図２】調絃軸の説明図である。
【図３】調絃軸と絃用案内路の位置関係を示す部分上面図である。
【図４】本発明の他の実施例を示す竜頭部の縦断面略図である。
【図５】従来の琴の縦断面略図である。
【図６】本発明の一実施例を示す竜頭部の縦断面略図である。
【図７】本発明の他の実施例を示す竜頭部の縦断面略図である。
【符号の説明】
１      口前
４      竜角
６      絃
７      甲
１１      絃用案内路
１２      調絃軸
１２ａ    頭部
１２ｂ    絃返し部
１２ｃ    絃通し孔
１３      台座
２０      調絃軸
２０ｃ    絃通し孔
【図１】
0003613757.tif 000002
【図２】
0003613757.tif 000003
【図３】
0003613757.tif 000004
【図４】
0003613757.tif 000005
【図５】
0003613757.tif 000006
【図６】
0003613757.tif 000007
【図７】
0003613757.tif 000008